(57)【要約】      （修正有）【課題】光ディスクに対する信号処理を制御するための剛体基板の調整が容易な小型（特に薄型）の光ディスク装置を提供する。【解決手段】光ディスクを信号処理位置に搬送する搬送機構４と、光ディスクを回転させる回転機構３９と、光ディスクにレーザ光を照射すると共にレーザ光の反射光を受光する光ピックアップ３３と、光ピックアップを光ディスクの径方向に案内する案内機構３１と、光ディスクに対する信号処理を制御するための剛体基板８と光ピックアップとの間を接続する可撓性基板３７と、を有するトラバース機構３と、底面に対して略平行な開口を有する筐体２とを備え、トラバース機構は、底面上に配置され、搬送機構は、開口のうち、剛体基板が配置される案内機構側の第１開口を除く、トラバース機構の上部の第２開口に配置される光ディスク装置。【選択図】図３
2010140543.tif 000002
【特許請求の範囲】
【請求項１】
光ディスクを信号処理位置に搬送する搬送機構と、
前記光ディスクを回転させる回転機構と、前記光ディスクにレーザ光を照射すると共に前記レーザ光の反射光を受光する光ピックアップと、前記光ピックアップを前記光ディスクの径方向に案内する案内機構と、前記光ディスクに対する信号処理を制御するための剛体基板と前記光ピックアップとの間を接続する可撓性基板と、を有するトラバース機構と、
底面に対して略平行な開口を有する筐体と、を備え、
前記トラバース機構は、前記底面上に配置され、
前記搬送機構は、前記開口のうち、前記剛体基板が配置される前記案内機構側の第１開口を除く、前記トラバース機構の上部の第２開口に配置される、
ことを特徴とする光ディスク装置。
【請求項２】
前記可撓性基板は、前記剛体基板と前記光ピックアップとに対して、前記開口側に折り返されるように接続される、ことを特徴とする請求項１に記載の光ディスク装置。
【請求項３】
前記筐体は、第１金属板から形成され、
前記搬送機構は、前記第２開口に配置される際に露出する面を覆う第２金属板を備える、ことを特徴とする請求項１又は請求項２に記載の光ディスク装置。
【請求項４】
前記剛体基板は、前記第１開口に配置される際に露出する面を覆う第３金属板を備える、ことを特徴とする請求項３に記載の光ディスク装置。
【請求項５】
前記搬送機構は、前記第１開口に対向しない位置に光ディスク挿入口を備え、前記光ディスク挿入口から前記信号処理位置まで前記光ディスクを搬送する、ことを特徴とする請求項１乃至４の何れかに記載の光ディスク装置。
【発明の詳細な説明】
【技術分野】
【０００１】
本発明は、光ディスク装置に関する。
【背景技術】
【０００２】
例えば、ＣＤ（Compact Disc）、ＤＶＤ（Digital Versatile Disc）、ＢＤ（Blu-ray Disc（登録商標））等の光ディスクに対して情報の記録又は再生を行う光ディスク装置は、パーソナルコンピュータやテレビ等の電子機器に内蔵される等、広く利用されている。
【０００３】
光ディスク装置は、光ディスクを同装置内部の信号処理位置まで搬送する搬送機構、光ディスクを回転させつつ光ピックアップを同ディスクの径方向に案内するトラバース機構、光ピックアップを介する信号処理を制御するための剛体基板等が、開口を有する筐体に収容されて構成されている。
【０００４】
これら搬送機構、トラバース機構、剛体基板等の相互配置として、例えば特許文献１の開示によれば、筐体の開口側の搬送機構とトラバース機構とは信号処理位置の光ディスクを挟んで対向していると共に、剛体基板はこのトラバース機構と筐体の底面との間に配置されている。
【特許文献１】特開２００６−３０２４３７号公報
【発明の開示】
【発明が解決しようとする課題】
【０００５】
しかしながら、前述した光ディスク装置では、信号処理位置における光ディスクの信号記録面に直交する方向（即ち、光ディスク装置の厚さ方向）に、搬送機構と、トラバース機構と、剛体基板とが重なるように配置されているため、光ディスク装置の薄型化に限界があった。
【０００６】
また、前述した光ディスク装置の剛体基板は、筐体の開口から見て、搬送機構及びトラバース機構よりも奥側に配置されているため、一旦光ディスク装置が組み立てられると、その後にこの剛体基板の修理や設計変更等の調整が必要となった場合、例えば光ディスク装置を分解しなければならないが、このような修理や変更等の作業には手間及び時間がかかった。
【０００７】
一方、前述した薄型化の限界や煩雑な作業等を回避するべく、例えば筐体内に剛体基板を配置するためのスペースを設けるとしても、光ディスク装置は、結局、厚さ方向とは異なる方向に大型化するという問題がある。
【課題を解決するための手段】
【０００８】
前述した課題を解決する主たる発明は、光ディスクを信号処理位置に搬送する搬送機構と、前記光ディスクを回転させる回転機構と、前記光ディスクにレーザ光を照射すると共に前記レーザ光の反射光を受光する光ピックアップと、前記光ピックアップを前記光ディスクの径方向に案内する案内機構と、前記光ディスクに対する信号処理を制御するための剛体基板と前記光ピックアップとの間を接続する可撓性基板と、を有するトラバース機構と、底面に対して略平行な開口を有する筐体とを備え、前記トラバース機構は、前記底面上に配置され、前記搬送機構は、前記開口のうち、前記剛体基板が配置される前記案内機構側の第１開口を除く、前記トラバース機構の上部の第２開口に配置される光ディスク装置である。
【０００９】
本発明の他の特徴については、添付図面及び本明細書の記載により明らかとなる。
【発明の効果】
【００１０】
本発明によれば、光ディスク装置を小型化（特に薄型化）できると共に、光ディスクに対する信号処理を制御するための剛体基板の調整が容易になる。
【発明を実施するための最良の形態】
【００１１】
本明細書及び添付図面の記載により、少なくとも以下の事項が明らかとなる。
【００１２】
===光ディスク装置===
図１及び図２を参照しつつ、本実施形態に係る光ディスク装置１の構成例について説明する。図１（ａ）は、本実施形態に係る光ディスク装置１の平面図である。図１（ｂ）は、図１（ａ）に示す光ディスク装置１の同図に示すＡ−Ａ’での部分断面図である。図２は、本実施形態に係る光ディスク装置１の分解斜視図である。尚、図１及び図２では、ｘ軸は、光ディスク装置１の「奥行き方向」を示し、ｙ軸は、光ディスク装置１の「幅方向」を示し、ｚ軸は、光ディスク装置１の「厚さ方向」を示している。また、ｘ軸、ｙ軸、ｚ軸において、矢印の向く側を「＋側」と称し、この矢印の向く側と反対側を「−側」と称する。これらは、本明細書における以後の全ての図においても同様である。
【００１３】
光ディスク装置１は、例えば、ＤＶＤ等の光ディスク１００に情報を記録したり、その記録情報を再生したりするものであり、例えば、後述する剛体基板８（後述する図３）及び金属板２１（第３金属板、後述する図４及び図５）が取り付けられた状態でテレビやオーディオ装置等の本体に内蔵される。具体的には、光ディスク装置１は、搬送機構４と、トラバース機構３と、筐体２とを備えている。
【００１４】
<<<搬送機構>>>
搬送機構４は、例えば、光ディスク挿入口４１をその奥行き方向＋側の端面に有すると共に、同挿入口４１から挿入された光ディスク１００を信号処理位置（図１（ａ）の円形状の点線で示す位置）まで搬送するための搬送ローラ４２を有している。ここで、搬送ローラ４２は、具体的には、光ディスク１００の表面に当接して同ディスク１００を信号処理位置まで搬送する（所謂、スロットイン方式）ようになっていると共に、搬送後には、光ディスク１００から離間する（図１（ｂ）に例示する状態）ようになっている。
【００１５】
また、搬送機構４は、後述するように筐体２に取り付けられた際に、筐体２の外部に露出する同搬送機構４の面を覆って電磁波を遮蔽する金属板４３（第２金属板）を備えている。
【００１６】
<<<トラバース機構>>>
トラバース機構３は、回転機構３９と、光ピックアップ３３と、案内機構３１と、可撓性基板３７とを備えている。
【００１７】
回転機構３９は、信号処理位置にある光ディスク１００を回転駆動する。具体的には、回転機構３９は、ターンテーブル３５と、スピンドルモータ３６とを有している。ターンテーブル３５は、搬送ローラ４２により光ディスク１００が信号処理位置に搬送されると、同光ディスク１００の中心部を、搬送機構４のクランパ（不図示）との間に狭持（チャッキング）するようになっている。スピンドルモータ３６は、ターンテーブル３５に固着されたロータ軸３６ａを有し、同ロータ軸３６ａを介してターンテーブル３５を回転駆動する。
【００１８】
光ピックアップ３３は、信号処理位置における光ディスク１００の信号記録面に対して、不図示のレーザ光源から出射される情報の記録又は再生用のレーザ光を対物レンズ３４により集光すると共に、このレーザ光が光ディスク１００によって反射された反射光を対物レンズ３４を介して受光する。尚、光ピックアップ３３は、後述するように、案内機構３１によって光ディスク１００の径方向に案内されるが、本実施形態では、この径方向を、図１（ａ）のｘ軸から反時計方向に所定の角度傾いた動径方向Ｒとして定義する。また、この動径方向Ｒにおいて、光ディスク１００の外周側を−側と定義すると共に、同光ディスク１００の内周側を＋側と定義する。尚、動径方向Ｒはｘ軸方向と平行であってもよい（即ち、光ピックアップ３３は後述する案内機構３１によって光ディスク装置１の奥行き方向に案内されるものであってもよい）。光ピックアップ３３は、動径方向Ｒの−側の端部に、以下述べる可撓性基板３７の一方側が取り付けられる接続部３３ａを有している。
【００１９】
可撓性基板３７は、前述した光ピックアップ３３の接続部３３ａと、光ディスク１００に対する信号処理を制御するための後述する剛体基板８の接続端子８ａとの間を電気的に接続するものである。この可撓性基板３７は、光ピックアップ３３が動径方向Ｒに沿って移動しても、張力等が作用してこの移動を阻害することがないように、プラスチックフィルム等の可撓性を有する電気絶縁基材から構成されている。一例として、可撓性基板３７は、複数条の導体パターン（不図示）が表面に形成された帯形状をなすプラスチックである。
【００２０】
案内機構３１は、光ピックアップ３３を動径方向Ｒに沿って案内するために以下述べる構成を備えている。
【００２１】
尚、本実施形態に係る案内機構３１は、この光ピックアップ３３を案内するための構成の他に、前述した回転機構３９を支持するための構成を有している。即ち、この案内機構３１は、筐体２の底板の内側（底面上）に固定されていると共に、ターンテーブル３５の中心が図１（ｂ）に示される信号処理位置での光ディスク１００の回転軸を定める直線ａ−ａ’を通るように回転機構３９を支持している。尚、筐体２の底板とは、同筐体２のｚ軸方向−側の板を意味する。
【００２２】
案内機構３１は、動径方向Ｒにおいて回転機構３９よりも−側に、光ピックアップ３３を移動可能に支持している。具体的には、案内機構３１は、その略中央に光ピックアップ３３の移動経路に応じた形状の開口３０が形成されていると共に、ガイド軸３２ａ、３２ｂを有している。ガイド軸３２ａ、３２ｂは、例えば一対の金属棒であり、光ピックアップ３３を挟んで対向し且つ開口３０上に動径方向Ｒと平行に配置されている。このガイド軸３２ａ、３２ｂに対し、光ピックアップ３３は、動径方向Ｒに沿って摺動可能に取り付けられている。
【００２３】
光ピックアップ３３を移動させるための動力源として、案内機構３１は、例えば、ステップモータ（不図示）と、同ステップモータのロータ軸に固着されてガイド軸３２ａ、３２ｂと平行に配置されたリードスクリュー（不図示）と、光ピックアップ３３に固設されたラック３８とを備えている。光ピックアップ３３のラック３８がリードスクリューのネジ溝と噛合することによって、ステップモータの回転運動が、同リードスクリュー及びラック３８を介して、動径方向Ｒに沿った光ピックアップ３３の並進移動に変換される。尚、光ピックアップ３３を前述したように並進移動させる構成として、リードスクリュー及びラック３８に代えて、ラックピニオンが用いられてもよい。
【００２４】
以上の構成により、案内機構３１は、光ピックアップ３３を、対物レンズ３４が光ディスク１００の信号記録面に対向しつつ同信号記録面の最内周側と最外周側との間を動径方向Ｒに沿って往復するように駆動する。この案内機構３１による光ピックアップ３３の駆動と、回転機構３９による光ディスク１００の回転駆動とによって、同光ディスク１００の信号記録面の全面において情報の記録又は再生が行われることになる。  
光ピックアップ３３の駆動において、対物レンズ３４が光ディスク１００の信号記録面の最外周側に対向するとき、光ピックアップ３３の接続部３３ａ（本実施形態に係る光ピックアップ３３の動径方向Ｒの−側の端部に位置する）は、少なくとも動径方向Ｒに沿って光ディスク１００の最外周よりも−側に位置していることになる。  
つまり、案内機構３１は、光ピックアップ３３の前述した移動を可能とするべく、搬送機構４の奥行き方向−側の端部よりも−側に延在している。
【００２５】
<<<筐体>>>
筐体２は、電磁波を遮蔽する金属板（第１金属板）で形成された略直方形状をなす箱体であり、トラバース機構３が固定される前述した底面と、同底面と略平行な開口とを有している。尚、本実施形態に係る光ディスク装置１では、前述したテレビやオーディオ装置等に内蔵される際、筐体２の底面が鉛直方向の下側になるように配置される必要はなく、例えば、筐体２の幅方向の＋側又は−側の端面が下側を向くように配置されてもよい。
【００２６】
筐体２の底面上には同底面を同筐体２の内側に窪ませた形状をなす絞り２４が絞り加工によって形成され、この絞り２４に対して、案内機構３１が、例えば樹脂製のスペーサ７及び例えばシリコンゴム製の緩衝材６を介して、ネジ５によって固定されている。ここで、スペーサ７は、光ディスク装置１の厚さ方向に所定の厚みを有し、トラバース機構３と筐体２の底面との間にあって、これらが互いに接触しないように間隙を形成するための部材である。緩衝材６は、案内機構３１と筐体２との間にあって、振動や衝撃等を吸収するための部材である。
【００２７】
尚、筐体２の厚みは、厳密には、前述した間隙及びトラバース機構３の夫々の厚みの和に略等しくなり、この筐体２の厚みと搬送機構４の厚みとの和が光ディスク装置１の厚みと略等しくなる。但し、近似的には、光ディスク装置１の厚みは、トラバース機構３の厚み及び搬送機構４の厚みの和に概ね対応する。
【００２８】
筐体２の開口は、以下述べる、第１開口８０と、第２開口とを有している。尚、本実施形態では、これら２つの開口は、筐体２の奥行き方向に並んで形成されている。
【００２９】
先ず、第２開口について述べる。筐体２の開口に対して、搬送機構４は、互いの奥行き方向＋側の端部が揃うように取り付けられている。本実施形態では、筐体２の開口のうち、搬送機構４が取り付けられる部分を第２開口とする。尚、第２開口の縁には、図１（ａ）に例示される所定位置に、内向きの突片２２ａ、２２ｂが設けられており、搬送機構４は、この突片２２ａ、２２ｂとのネジ止め等によって第２開口に固定されている。
【００３０】
次に、第１開口８０について述べる。筐体２の内部において、トラバース機構３は、筐体２の奥行き方向−側の内壁と、案内機構３１の奥行き方向−側の端部との間にスペースが形成されるように配置されている。光ピックアップ３３の移動に伴い可撓性基板３７の両端の固定先（剛体基板８と光ピックアップ３３）どうしが接近した場合、奥行き方向−側に撓んでせり出した可撓性基板３７が前述したスペース内に退避することによって、筐体２の内壁等との接触による同基板３７の磨耗が抑制される。尚、本実施形態では、第１開口８０は、前述したスペースと、前述した案内機構３１の奥行き方向−側の部分（詳しくは、案内機構３１における搬送機構４の奥行き方向−側の端部よりも更に−側に延在する部分）とに対向している。
【００３１】
尚、第１開口８０の縁には、図１（ａ）に例示される所定位置に、内向きの突片２３ａ、２３ｂが設けられており、後述する剛体基板８は、この突片２３ａ、２３ｂとのネジ止め等によって第１開口８０に取り付けられるようになっている。
【００３２】
===剛体基板の取り付け例===
図３乃至図５を参照しつつ、本実施形態に係る光ディスク装置１の第１開口８０に対する剛体基板８の取り付け例について説明する。尚、図３（ａ）は、剛体基板８が取り付けられた本実施形態に係る光ディスク装置１の平面図であり、図３（ｂ）は、図３（ａ）に示す光ディスク装置１の同図に示すＢ−Ｂ’での部分断面図である。図４（ａ）は、剛体基板８及び金属板２１（第３金属板）が取り付けられた本実施形態に係る光ディスク装置１の平面図であり、図４（ｂ）は、図４（ａ）に示す光ディスク装置１の同図に示すＣ−Ｃ’での部分断面図である。図５は、図４（ａ）に示す光ディスク装置１の斜視図である。
【００３３】
剛体基板８は、前述したように、光ピックアップ３３において受光した反射光から生成される光ディスク１００の再生信号の処理等を行うＲＦフロントエンドのＩＣや、光ピックアップ３３のサーボ機構を制御するための信号を出力するＩＣ等が実装されている。この剛体基板８は、これらの信号等を伝送する可撓性基板３７の他方側を接続するための接続端子８ａを有し、この接続端子８ａが筐体２の内部に対向するように、光ディスク装置１の第１開口８０に対して取り付けられている。筐体２の内部では、可撓性基板３７が、光ピックアップ３３の接続部３３ａから第１開口８０側に折り返されるようにして剛体基板８の接続端子８ａに接続されている。尚、図３の例示では、光ディスク装置１の上部には、搬送機構４と剛体基板８とが奥行き方向に隣接するように配置されている。
【００３４】
また、図４及び図５に例示されるように、本実施形態に係る光ディスク装置１では、金属板２１は、第１開口８０に取り付けられた剛体基板８の外部に露出する面を覆って電磁波を遮蔽している。尚、この金属板２１は、例えば前述した突片２３ａ、２３ｂへのネジ止め等を介して剛体基板８に取り付けられている。
【００３５】
尚、図４（ａ）の例示では、金属板２１の上面と、搬送機構４の上面とが、厚さ方向において同位置になるように配置されるため、本実施形態に係る光ディスク装置１では、剛体基板８が取り付けられて更に金属板２１が取り付けられても、これらを取り付ける前の同装置１の厚さが維持される。
【００３６】
===剛体基板の調整が容易な小型（特に薄型）の光ディスク装置===
本実施形態に係る光ディスク装置１は、少なくとも、光ディスク１００を信号処理位置に搬送する搬送機構４と、光ディスク１００を回転させる回転機構３９と、光ディスク１００にレーザ光を照射すると共にこのレーザ光の反射光を受光する光ピックアップ３３と、光ピックアップ３３を光ディスク１００の径方向（例えば動径方向Ｒ）に案内する案内機構３１と、光ディスク１００に対する信号処理を制御するための剛体基板８と光ピックアップ３３との間を接続する可撓性基板３７とを有するトラバース機構３と、底面に対して略平行な開口を有する筐体２とを備え、トラバース機構３は、底面上に配置され、搬送機構４は、開口のうち、剛体基板８が配置される案内機構３１側の第１開口８０を除く、トラバース機構３の上部の第２開口に配置されていればよい。
【００３７】
この光ディスク装置１によれば、剛体基板８及び搬送機構４は、筐体２の底面上に配置されるトラバース機構３の上部にある第１開口８０及び第２開口に夫々配置されるが、これら２つの開口は重なっていないため、剛体基板８及び搬送機構４も互いに重ならない。これにより、光ディスク装置１の厚みは、例えば搬送機構４が剛体基板８よりも厚いとすれば、トラバース機構３及び搬送機構４を２層に重ねた厚みに対応するため、例えばトラバース機構及び搬送機構に対し更に剛体基板を重ねて３層とする場合に比べて、光ディスク装置１の薄型化が可能である。また、剛体基板８は筐体２の第１開口８０に配置可能であるため、例えば筐体２内に同基板８を配置するために新たなスペースを設ける必要がない。これは光ディスク装置１の小型化につながる。尚、剛体基板８の配置先を、筐体２内のスペースとする代わりに第１開口８０とすることによって、光ディスク装置１の小型化を維持しつつ、面積のより広い剛体基板８を使用できる。これは、剛体基板８の低コスト化につながる。
【００３８】
また、この光ディスク装置１によれば、剛体基板８は、筐体２の第１開口８０に配置可能であるため、光ディスク装置１への同基板８の配置作業が容易になる上に、同基板８の修理や設計変更等の調整作業も容易になる。尚、トラバース機構３及び搬送機構４を筐体２に配置するという機械部分の組立工程と、剛体基板８を筐体２に配置するという電気系統の接続を伴う組立工程とが分けられるため、光ディスク装置１自体の製造効率も向上し、これは同装置１の製造コストの低減につながる。
【００３９】
尚、剛体基板８は、トラバース機構３の案内機構３１側に配置可能であるため、同案内機構３１により案内される光ピックアップ３３と剛体基板８とを接続する可撓性基板３７をその分だけ短くできる。よって、可撓性基板３７を複雑に引き回すことなく光ピックアップ３３と剛体基板８とを接続できるため、剛体基板８へのノイズ等の低減化が図れる。一方、この剛体基板８は、トラバース機構３の回転機構３９からは遠ざけられて配置可能であるため、回転機構３９が有する例えばスピンドルモータ３６を駆動するためのパルス信号等がノイズとして剛体基板８に及ぼす悪影響を低減できる。
【００４０】
以上から、光ディスク装置１を小型化（特に薄型化）できると共に、剛体基板８の調整が容易になる。また、光ディスク装置１及び剛体基板８のコストを低減できるとともに、同基板８へのノイズを低減できる。
【００４１】
また、前述した光ディスク装置１において、可撓性基板３７は、剛体基板８と光ピックアップ３３とに対して、筐体２の開口（例えば第１開口８０）側に折り返されるように接続されている。  
この光ディスク装置１によれば、光ピックアップ３３が、径方向（例えば動径方向Ｒ）に沿って、可撓性基板３７の両端の固定先どうしが接近する向きに移動した場合、可撓性基板３７の撓んだ部分は光ディスク１００の信号記録面側にはせり出さないため、同可撓性基板３７との接触による同信号記録面の損傷を抑制できる。
【００４２】
また、前述した光ディスク装置１において、筐体２は第１金属板から形成され、搬送機構４は、第２開口に配置される際に露出する面を覆う第２金属板（例えば金属板４３）を備えている。  
この光ディスク装置１によれば、例えば、同装置１の内部において発生し、同装置１を内蔵するテレビやオーディオ装置等に悪影響を及ぼす電磁波が、例えばトラバース機構３から同装置１の外部へ伝播することを第１金属板によって抑制できると共に、この電磁波が、搬送機構４から同装置１の外部へ伝播することを第２金属板によって抑制できる。また、この光ディスク装置１によれば、例えば、前述したテレビやオーディオ装置等から発生し、光ディスク装置１に対して悪影響を及ぼす電磁波が、筐体２を介して同装置１の内部へ伝播することを第１金属板によって抑制できると共に、搬送機構４を介して同装置１の内部へ伝播することを第２金属板によって抑制できる。
【００４３】
また、前述した光ディスク装置１において、剛体基板８は、第１開口８０に配置される際に露出する面を覆う第３金属板（例えば金属板２１）を備えている。  
この光ディスク装置１は、第２金属板と、第１金属板から形成される筐体２と、更に剛体基板８を覆う第３金属板によって囲まれて構成されているため、前述した、同装置１を内蔵するテレビやオーディオ装置等に悪影響を及ぼす電磁波の伝播と、光ディスク装置１に悪影響を及ぼす電磁波の伝播とをより効果的に抑制できる。
【００４４】
また、前述した光ディスク装置１において、搬送機構４は、第１開口８０に対向しない位置に光ディスク挿入口４１を備え、光ディスク挿入口４１から信号処理位置まで光ディスク１００を搬送する。  
この光ディスク装置１によれば、少なくとも第１開口８０の上部のスペースが挿入・送出時の光ディスク１００に占有されることがないため、例えば、光ディスク装置１の薄型化を維持しつつ、第１開口８０に配置される剛体基板８の厚みに所定の自由度をもたせることができる。
【００４５】
===その他の実施形態===
前述した実施の形態は、本発明の理解を容易にするためのものであり、本発明を限定して解釈するためのものではない。本発明はその趣旨を逸脱することなく変更や改良等が可能であり、また本発明はその等価物も含むものである。
【００４６】
前述した光ディスク装置１では、搬送機構４の奥行き方向＋側の端面に光ディスク挿入口４１を有していたが、これに限定されるものではなく、要するに、搬送機構４の第１開口８０に対向しない位置に備えられればよい。
【００４７】
また、前述した光ディスク装置１では、搬送機構４は、挿入された光ディスク１００をその表面に搬送ローラ４２を当接させて信号処理位置まで搬送する所謂スロットイン方式を採用するものであったが、これに限定されるものではなく、例えば、光ディスク１００を収容するトレイを信号処理位置まで搬送するローディング方式を採用するものであってもよい。
【００４８】
また、前述した光ディスク装置１では、案内機構３１が回転機構３９を支持していたが、これに限定されるものではない。例えば、回転機構３９は、案内機構３１とは独立に、筐体２の底面上の前述した所定の位置に支持されていてもよい。
【図面の簡単な説明】
【００４９】
【図１】（ａ）は、本実施形態に係る光ディスク装置の平面図であり、（ｂ）は、（ａ）に示す光ディスク装置のＡ−Ａ’での部分断面図である。
【図２】本実施形態に係る光ディスク装置の分解斜視図である。
【図３】（ａ）は、剛体基板が取り付けられた場合の本実施形態に係る光ディスク装置の平面図であり、（ｂ）は、（ａ）に示す光ディスク装置のＢ−Ｂ’での部分断面図である。
【図４】（ａ）は、剛体基板及び金属板（第３金属板）が取り付けられた場合の本実施形態に係る光ディスク装置の平面図であり、（ｂ）は、（ａ）に示す光ディスク装置のＣ−Ｃ’での部分断面図である。
【図５】図４に示す光ディスク装置の斜視図である。
【符号の説明】
【００５０】
１    光ディスク装置
２    筐体
２１、４３  金属板
３    トラバース機構
３１  案内機構
３３  光ピックアップ
３７  可撓性基板
４    搬送機構
４１  光ディスク挿入口
８    剛体基板
８０  第１開口
１００  光ディスク
【図１】
2010140543.tif 000003
【図２】
2010140543.tif 000004
【図３】
2010140543.tif 000005
【図４】
2010140543.tif 000006
【図５】
2010140543.tif 000007